(57)【要約】      （修正有）【課題】巻上機に作用する荷重をガイドレールで支持することなく、ガイドレールを非常に強度の小さいものが使用できるようにし、ガイドレールの軽量化を図り、エレベータ昇降路内へのガイドレールの敷設を簡単にしたエレベータ装置を提供する。【解決手段】乗かご用ガイドレール３に沿って昇降する乗かご５と、カウンターウエイト用ガイドレール４に沿って昇降するカウンターウエイト６と、乗かご５とカウンターウエイト６を昇降させる主ロープ７が巻き掛けられた巻上手段８とを備えたエレベータ装置において、巻上手段８を、昇降路２の最上部に架設したマシーンビーム９に設置したものとしている。【選択図】図１
2005231780.tif 000002
【特許請求の範囲】
【請求項１】
乗かご用ガイドレール（３）に沿って昇降する乗かご（５）と、カウンターウエイト用ガイドレール（４）に沿って昇降するカウンターウエイト（６）と、乗かご（５）とカウンターウエイト（６）を昇降させる主ロープ（７）が巻き掛けられた巻上手段（８）とを備えたエレベータ装置において、巻上手段（８）を、昇降路（２）の最上部に架設したマシーンビーム（９）に設置したことを特徴とするエレベータ装置。
【請求項２】
前記巻上手段（８）を、二機の巻上機（８ａ、８ｂ）からなるものとしたことを特徴とする請求項１記載のエレベータ装置。
【請求項３】
前記巻上手段（８）を、巻上機（８ａ）とシーブ（１０）からなるものとしたことを特徴とする請求項１記載のエレベータ装置。
【請求項４】
前記マシーンビーム（９）を、二本平行に並べたものとしたことを特徴とする請求項１記載のエレベータ装置。
【請求項５】
巻上手段（８）を設置したマシーンビーム（９）を、建造物の昇降路（２）の最上部に架設する工程、乗かご用ガイドレール（３）およびカウンターウエイト用ガイドレール（４）を建造物の最上階から吊り下げて、昇降路（２）の側壁に敷設する工程、前記昇降路（２）の下部において本設用かご枠（１４）を組み立てる工程、前記巻上手段（８）の主ロープ（７）の一端にカウンターウエイト（６）を吊り下げると共に、この主ロープ（７）の他端に前記本設用かご枠（１４）を吊り下げる工程、前記本設用かご枠（１４）を巻上手段（８）によって上昇させながら、乗かご用ガイドレール（３）およびカウンターウエイト用ガイドレール（４）の中間部の複数箇所を昇降路（２）の側壁に固定する工程の、各工程を備えたことを特徴とするエレベータ装置の据付方法。
【請求項６】
巻上手段（８）を設置したマシーンビーム（９）を、建造物の任意階の昇降路（２）に仮架設する工程、乗かご用ガイドレール（３）およびカウンターウエイト用ガイドレール（４）を建造物の任意階から吊り下げて、昇降路（２）の側壁に敷設する工程、前記昇降路（２）の下部において本設用かご枠（１４）を組み立てる工程、前記巻上手段（８）の主ロープ（７）の一端にカウンターウエイト（６）を吊り下げると共に、この主ロープ（７）の他端に前記本設用かご枠（１４）を吊り下げる工程、前記本設用かご枠（１４）を巻上手段（８）によって上昇させながら、乗かご用ガイドレール（３）およびカウンターウエイト用ガイドレール（４）の中間部の複数箇所を昇降路（２）の側壁に固定する工程、前記巻上手段（８）を設置したマシーンビーム（９）を、建造物のさらに上層の任意階の昇降路（２）に仮架設する工程、乗かご用ガイドレール（３）およびカウンターウエイト用ガイドレール（４）を、前記建造物の任意階から吊り下げて、第二工程で敷設した乗かご用ガイドレール（３）およびカウンターウエイト用ガイドレール（４）にそれぞれ継ぎ足すと共に、昇降路（２）の側壁に敷設する工程、前記本設用かご枠（１４）を巻上手段（８）によって上昇させながら、継ぎ足した乗かご用ガイドレール（３）およびカウンターウエイト用ガイドレール（４）の中間部の複数箇所を昇降路（２）の側壁に固定する工程、前記巻上手段（８）を設置したマシーンビーム（９）を建造物の最上部の昇降路（２）に架設できるまで、前記第六工程〜第八工程までの同様の工程を繰り返していく工程の、各工程を備えたことを特徴とするエレベータ装置の据付方法。
【請求項７】
巻上手段（８）を設置したマシーンビーム（９）を、建造物の連通したままの二列以上隣り合う昇降路（２）の最上部にそれぞれ架設する工程、乗かご用ガイドレール（３）およびカウンターウエイト用ガイドレール（４）を建造物の最上階から吊り下げて、前記二列以上隣り合うそれぞれの昇降路（２）の側壁に敷設する工程、前記昇降路（２）の下部において前記二列以上の隣り合う昇降路（２）の床面積に応じて広げた底面積を有するかご枠（１７）を組み立てる工程、前記巻上手段（８）の主ロープ（７）の一端にカウンターウエイト（６）を吊り下げると共に、この主ロープ（７）の他端に前記かご枠（１７）を吊り下げる工程、前記かご枠（１７）を巻上手段（８）によって上昇させながら、乗かご用ガイドレール（３）およびカウンターウエイト用ガイドレール（４）の中間部の複数箇所を昇降路（２）の側壁に固定する工程、前記かご枠（１７）を巻上手段（８）によって上昇させながら、前記二列以上隣り合う昇降路（２）の互いの境界にそれぞれ昇降路（２）の側壁となる隔離壁（１８）を、昇降路（２）の下方から上方にかけ順に敷設していく工程、前記かご枠（１７）をエレベータの乗かご（５）に取り替える工程の、各工程を備えたことを特徴とするエレベータ装置の据付方法。
【請求項８】
巻上手段（８）を設置したマシーンビーム（９）を、建造物の連通したままの二列以上隣り合う任意階の昇降路（２）にそれぞれ仮架設する工程、乗かご用ガイドレール（３）およびカウンターウエイト用ガイドレール（４）を建造物の任意階から吊り下げて、前記二列以上隣り合うそれぞれの昇降路（２）の側壁に敷設する工程、前記昇降路（２）の下部において前記二列以上の隣り合う昇降路（２）の床面積に応じて広げた底面積を有するかご枠（１７）を組み立てる工程、前記巻上手段（８）の主ロープ（７）の一端にカウンターウエイト（６）を吊り下げると共に、この主ロープ（７）の他端に前記かご枠（１７）を吊り下げる工程、前記かご枠（１７）を巻上手段（８）によって上昇させながら、乗かご用ガイドレール（３）およびカウンターウエイト用ガイドレール（４）の中間部の複数箇所を昇降路（２）の側壁に固定する工程、前記巻上手段（８）を設置したマシーンビーム（９）を、建造物のさらに上層の任意階の昇降路（２）に仮架設する工程、乗かご用ガイドレール（３）およびカウンターウエイト用ガイドレール（４）を、前記建造物の任意階から吊り下げて、第二工程で敷設した乗かご用ガイドレール（３）およびカウンターウエイト用ガイドレール（４）にそれぞれ継ぎ足すと共に、昇降路（２）の側壁に敷設する工程、前記かご枠（１７）を巻上手段（８）によって上昇させながら、継ぎ足した乗かご用ガイドレール（３）およびカウンターウエイト用ガイドレール（４）の中間部の複数箇所を昇降路（２）の側壁に固定する工程、前記巻上手段（８）を設置したマシーンビーム（９）を建造物の最上部の昇降路（２）に架設できるまで、前記第六工程〜第八工程までの同様の工程を繰り返していく工程、前記かご枠（１７）を巻上手段（８）によって上昇させながら、前記二列以上隣り合う昇降路（２）の互いの境界にそれぞれ昇降路（２）の側壁となる隔離壁（１８）を、昇降路（２）の下方から上方にかけ順に敷設していく工程、前記かご枠（１７）をエレベータの乗かご（５）に取り替える工程の、各工程を備えたことを特徴とするエレベータ装置の据付方法。
【発明の詳細な説明】
【技術分野】
【０００１】
この発明は、低中層から高層の建造物まで幅広く使用することのできるエレベータ装置およびそのエレベータ装置の据付工法に関するものである。
【背景技術】
【０００２】
近年、エレベータ装置においては、省スペース化が図られており、機械室を備えていないエレベータ装置が種々が開発されている。
【０００３】
従来、このようなものとして、例えば図１１、１２に示したように、乗かご用ガイドレール２１に沿って昇降する乗かご２２と、カウンターウエイト用ガイドレール２３に沿って昇降するカウンターウエイト２４と、乗かご２２とカウンターウエイト２４を昇降させる主ロープ２５が巻き掛けられた巻上機２６とを備えたエレベータ装置において、巻上機２６が、昇降路２７の下方の、乗かご２２の昇降方向への投影面による空間と昇降路２７の壁との間の空間で、乗かご用ガイドレール２１とカウンターウエイト用ガイドレール２３に固定された取付部材２８に固定されているものが存在する。そして、この取付部材２８は、上部支持梁２９と、下部支持梁３０と、上下がそれぞれ上部支持梁２９、下部支持梁３０に固定されたベース３１とからなっており、上部支持梁２９及び下部支持梁３０の一側はそれぞれ乗かご用ガイドレール２１にクリップ止めされ、他側はカウンターウエイト用ガイドレール２３にクリップ止めされている（特許文献１）。
【０００４】
そして、この種のエレベータを据付けるには、現在工法としては、足場を組み立てて行う足場工法や、ゴンドラを使用して行うゴンドラ工法により行われている。
【０００５】
前記足場工法は、エレベータの昇降路に下部から上部まで足場を組立てて、エレベータの据付け作業を行うものとしている。前記ゴンドラ工法は、エレベータの昇降路頂部に設けた天井フックより、ゴンドラ用ワイヤーを使用してゴンドラを吊り下げてエレベータの据付け作業を行うものとしている。
【０００６】
また、建造物の建造中において、作業者や各種作業機器の搬送には、前記ゴンドラ工法におけるゴンドラが使用されたりしているが、大型の作業機器などを搬送する場合には、建造物の外壁に据付けられた大型リフトが使用されている。
【特許文献１】特開２００２−２０５８８８号公報（第２頁、図１、２）
【発明の開示】
【発明が解決しようとする課題】
【０００７】
上記従来のエレベータ装置は、巻上機２６の荷重を、乗かご用ガイドレール２１とカウンターウエイト用ガイドレール２３で支持するため、ガイドレール一本当たりに作用する荷重が低減されるので、ガイドレールとして比較的強度の小さいものが使用でき、又は補強が不要になる。
【０００８】
しかしながら、上記従来のエレベータ装置では、ガイドレールとして比較的強度の小さいものが使用でき、又は補強が不要になるといっても、巻上機２６の荷重をガイドレールで支持することには変わらず、ガイドレールとして比較的強度の小さいものが使用できるに止まっている。
【０００９】
さらに、上記従来のエレベータ装置の据付工法において、足場工法の場合には、足場材料の搬入組立て、解体搬出など無駄な費用や労力が多くかかり、また作業性や安全性に問題が多く、足場からの墜落災害などの危険も多く、早急な対策改善が望まれている。ゴンドラ工法の場合にも、ゴンドラの搬入組立て、解体搬出など無駄な費用や労力が多くかかるうえ、保管倉庫と建造現場の往復運送費などの多額の費用もかかるという問題点を有している。なお、ゴンドラ工法の場合、足場工法より作業性や安全性は良いが、ゴンドラは揺れたり傾いたりすることがあり、落下防止装置の機能問題等でゴンドラの落下事故が発生した例も報告されており、一概に足場工法より安全といえない点もある。
【００１０】
また、従来では、建造物の建造中において大型の作業機器などを搬送する場合には、建造物の外壁に大型リフトが据付けられるが、この大型リフトの据付けには、多大な費用がかかり、建造物の建造コストにも影響を及ぼすという問題点を有している。
【００１１】
そこで、この発明は、巻上機の荷重をガイドレールで支持することなく、ガイドレールを非常に強度の小さいものが使用できるようにし、ガイドレールの軽量化を図り、エレベータ昇降路内へのガイドレールの敷設を簡単にしたエレベータ装置を提供することを目的としてなされたものである。
【００１２】
さらに、この発明は、エレベータの据付作業の安全性を図り、据付コストも高くならず、また建造物の建造中において、大型の作業機器などを搬送する場合にも使用することのできるエレベータ装置の据付工法を提供することを目的としてなされたものである。
【課題を解決するための手段】
【００１３】
そのため、この発明は、乗かご用ガイドレール３に沿って昇降する乗かご５と、カウンターウエイト用ガイドレール４に沿って昇降するカウンターウエイト６と、乗かご５とカウンターウエイト６を昇降させる主ロープ７が巻き掛けられた巻上手段８とを備えたエレベータ装置において、巻上手段８を、昇降路２の最上部に架設したマシーンビーム９に設置したものとしている。
【００１４】
そして、この発明のエレベータ装置では、前記巻上手段８を、二機の巻上機８ａ、８ｂからなるものとしている。
【００１５】
さらに、この発明のエレベータ装置では、前記巻上手段８を、巻上機８ａとシーブ１０からなるものとしている。
【００１６】
また、この発明のエレベータ装置では、前記マシーンビーム９を、二本平行に並べたものとしている。
【００１７】
さらに、この発明のエレベータ装置の据付工法は、巻上手段８を設置したマシーンビーム９を、建造物の昇降路２の最上部に架設する工程、乗かご用ガイドレール３およびカウンターウエイト用ガイドレール４を建造物の最上階から吊り下げて、昇降路２の側壁に敷設する工程、前記昇降路２の下部において本設用かご枠１４を組み立てる工程、前記巻上手段８の主ロープ７の一端にカウンターウエイト６を吊り下げると共に、この主ロープ７の他端に前記本設用かご枠１４を吊り下げる工程、前記本設用かご枠１４を巻上手段８によって上昇させながら、乗かご用ガイドレール３およびカウンターウエイト用ガイドレール４の中間部の複数箇所を昇降路２の側壁に固定する工程の、各工程を備えたものとしている。
【００１８】
また、この発明のエレベータ装置の据付工法は、巻上手段８を設置したマシーンビーム９を、建造物の任意階の昇降路２に仮架設する工程、乗かご用ガイドレール３およびカウンターウエイト用ガイドレール４を建造物の任意階から吊り下げて、昇降路２の側壁に敷設する工程、前記昇降路２の下部において本設用かご枠１４を組み立てる工程、前記巻上手段８の主ロープ７の一端にカウンターウエイト６を吊り下げると共に、この主ロープ７の他端に前記本設用かご枠１４を吊り下げる工程、前記本設用かご枠１４を巻上手段８によって上昇させながら、乗かご用ガイドレール３およびカウンターウエイト用ガイドレール４の中間部の複数箇所を昇降路２の側壁に固定する工程、前記巻上手段８を設置したマシーンビーム９を、建造物のさらに上層の任意階の昇降路２に仮架設する工程、乗かご用ガイドレール３およびカウンターウエイト用ガイドレール４を、前記建造物の任意階から吊り下げて、第二工程で敷設した乗かご用ガイドレール３およびカウンターウエイト用ガイドレール４にそれぞれ継ぎ足すと共に、昇降路２の側壁に敷設する工程、前記本設用かご枠１４を巻上手段８によって上昇させながら、継ぎ足した乗かご用ガイドレール３およびカウンターウエイト用ガイドレール４の中間部の複数箇所を昇降路２の側壁に固定する工程、前記巻上手段８を設置したマシーンビーム９を建造物の最上部の昇降路２に架設できるまで、前記第六工程〜第八工程までの同様の工程を繰り返していく工程の、各工程を備えたものとしている。
【００１９】
さらに、この発明のエレベータ装置の据付工法は、巻上手段８を設置したマシーンビーム９を、建造物の連通したままの二列以上隣り合う昇降路２の最上部にそれぞれ架設する工程、乗かご用ガイドレール３およびカウンターウエイト用ガイドレール４を建造物の最上階から吊り下げて、前記二列以上隣り合うそれぞれの昇降路２の側壁に敷設する工程、前記昇降路２の下部において前記二列以上の隣り合う昇降路２の床面積に応じて広げた底面積を有するかご枠１７を組み立てる工程、前記巻上手段８の主ロープ７の一端にカウンターウエイト６を吊り下げると共に、この主ロープ７の他端に前記かご枠１７を吊り下げる工程、前記かご枠１７を巻上手段８によって上昇させながら、乗かご用ガイドレール３およびカウンターウエイト用ガイドレール４の中間部の複数箇所を昇降路２の側壁に固定する工程、前記かご枠１７を巻上手段８によって上昇させながら、前記二列以上隣り合う昇降路２の互いの境界にそれぞれ昇降路２の側壁となる隔離壁１８を、昇降路２の下方から上方にかけ順に敷設していく工程、前記かご枠１７をエレベータの乗かご５に取り替える工程の、各工程を備えたものとしている。
【００２０】
また、この発明のエレベータ装置の据付工法は、巻上手段８を設置したマシーンビーム９を、建造物の連通したままの二列以上隣り合う任意階の昇降路２にそれぞれ仮架設する工程、乗かご用ガイドレール３およびカウンターウエイト用ガイドレール４を建造物の任意階から吊り下げて、前記二列以上隣り合うそれぞれの昇降路２の側壁に敷設する工程、前記昇降路２の下部において前記二列以上の隣り合う昇降路２の床面積に応じて広げた底面積を有するかご枠１７を組み立てる工程、前記巻上手段８の主ロープ７の一端にカウンターウエイト６を吊り下げると共に、この主ロープ７の他端に前記かご枠１７を吊り下げる工程、前記かご枠１７を巻上手段８によって上昇させながら、乗かご用ガイドレール３およびカウンターウエイト用ガイドレール４の中間部の複数箇所を昇降路２の側壁に固定する工程、前記巻上手段８を設置したマシーンビーム９を、建造物のさらに上層の任意階の昇降路２に仮架設する工程、乗かご用ガイドレール３およびカウンターウエイト用ガイドレール４を、前記建造物の任意階から吊り下げて、第二工程で敷設した乗かご用ガイドレール３およびカウンターウエイト用ガイドレール４にそれぞれ継ぎ足すと共に、昇降路２の側壁に敷設する工程、前記かご枠１７を巻上手段８によって上昇させながら、継ぎ足した乗かご用ガイドレール３およびカウンターウエイト用ガイドレール４の中間部の複数箇所を昇降路２の側壁に固定する工程、前記巻上手段８を設置したマシーンビーム９を建造物の最上部の昇降路２に架設できるまで、前記第六工程〜第八工程までの同様の工程を繰り返していく工程、前記かご枠１７を巻上手段８によって上昇させながら、前記二列以上隣り合う昇降路２の互いの境界にそれぞれ昇降路２の側壁となる隔離壁１８を、昇降路２の下方から上方にかけ順に敷設していく工程、前記かご枠１７をエレベータの乗かご５に取り替える工程の、各工程を備えたものとしている。
【発明の効果】
【００２１】
この発明のエレベータ装置は、以上に述べたように構成されているので、巻上機の荷重をマシーンビームで支持することにより、ガイドレールを非常に強度の小さいものが使用できるようにして、ガイドレールの軽量化を図ったので、エレベータ昇降路内へのガイドレールの敷設が簡単になり、エレベータ装置の設置期間の短縮化、設置費用の低減化を達成することができるものとなった。また、巻上機の荷重をマシーンビームで支持することにより、ガイドレールにはこの巻上機の荷重がかからないので、地震災害に強いものとなった。
【００２２】
さらに、この発明のエレベータ装置の据付工法は、以上に述べたように構成されているので、エレベータの据付作業の安全性を図り、据付コストも高くならず、また建造物の建造中において、大型の作業機器などを搬送する場合にも使用することができものとなるので、大型リフトの据付けも不要となり、この大型リフトの据付けに要する多大な費用も節約できるものとなった。また、エレベータの据付作業の安全性を図ることにより、作業者が熟練工に限らず新人工でも、安全に短期間でエレベータの据え付けを行うことができるものとなった。
【発明を実施するための最良の形態】
【００２３】
以下、この発明のエレベータ装置およびそのエレベータ装置の据付工法を実施するための最良の形態を、図面に基づいて詳細に説明する。
【００２４】
図中、１はビル等の建造物の躯体であり、この躯体１の内部には昇降路２が設けられている。前記昇降路２には、乗かご用ガイドレール３とカウンターウエイト用ガイドレール４がそれぞれ互いに向かい合うようにして二本ずつ配設されている（図２、４を参照、図１、３、５では省略）。
【００２５】
この発明のエレベータ装置は、前記乗かご用ガイドレール３に沿って昇降する乗かご５と、カウンターウエイト用ガイドレール４に沿って昇降するカウンターウエイト６と、乗かご５とカウンターウエイト６を昇降させる主ロープ７が巻き掛けられた巻上手段８とを備えたものとしている。そして、前記巻上手段８は、昇降路２の最上部において躯体１に架設したマシーンビーム９に設置したものとしている。このマシーンビーム９としては、Ｈ型鋼やミゾ型鋼等が用いられる。
【００２６】
そして、この発明のエレベータ装置は、図１、２に示したものでは、前記巻上手段８を、マシーンビーム９の略中央に設けた巻上機８ａと、マシーンビーム９の一端部に設けた巻上機８ｂの二機の巻上機からなるものとしている。これら二機の巻上機は、同調駆動するように制御されている。このようにすることにより、マシーンビーム９への設置バランスを図り、一機当たりの小型化を図って、マシーンビーム９に設置し易いものとすると共に、省スペース化できるものとしている。
【００２７】
さらに、この発明のエレベータ装置は、図３、４に示したものでは、前記巻上手段８を、マシーンビーム９の略中央に設けた巻上機８ａと、マシーンビーム９の一端部に設けたシーブ１０からなるものとしている。このようにすることにより、マシーンビーム９への設置バランスを図って、マシーンビーム９に設置し易いものとしている。
【００２８】
また、この発明のエレベータ装置は、図５に示したものでは、前記巻上手段８を、マシーンビーム９の略中央に設けた巻上機８ａと、マシーンビーム９の一端部に設けたシーブ１０からなるものとしており、これら巻上機８ａとシーブ１０の略下半部をマシーンビーム９に嵌め込んだものとしている。このようにすることにより、マシーンビーム９への設置バランスを図って、マシーンビーム９に設置し易いものとすると共に、より省スペース化できるものとしている。
【００２９】
さらに、この発明のエレベータ装置では、前記マシーンビーム９を、二本平行に並べたものとしている。このようにすることにより、マシーンビーム９の強度化が図れると共に、これら二本平行に並べたマシーンビーム９のそれぞれに前記巻上機８ａ、８ｂやシーブ１０をバランス良く設置できるようにしている。なお、前記マシーンビーム９は、二本以上架設したものとしても良いのは言うまでもない。
【００３０】
したがって、この発明のエレベータ装置では、巻上手段８の荷重はマシーンビーム９により支持されることになり、乗かご用ガイドレール３やカウンターウエイト用ガイドレール４には、巻上手段８の荷重はかからなくなる。したがって、乗かご用ガイドレール３は乗かご５の案内レールとしての役目のみを果たし、カウンターウエイト用ガイドレール４はカウンターウエイト６の案内レールとしての役目のみを果たすようになる。
【００３１】
なお、図中の１１は、エレベータ装置の制御盤であり、図中の１２は、乗りかご５が過速状態になった場合に非常停止装置（図示せず）を作動させるためのガバナである。
【００３２】
次に、この発明のエレベータ装置の据付工法について説明する。
【００３３】
図６は、この発明のエレベータ装置の据付工法を低中層の建造物に実施した例を示している。
【００３４】
先ず、第一工程として、図６に示したように、巻上手段８を設置したマシーンビーム９を、建造物の昇降路２の最上部に架設する。
【００３５】
この工程は、前記したように二機の巻上機８ａ、８ｂからなる巻上手段８や、巻上機８ａとシーブ１０からなる巻上手段８を設置したマシーンビーム９を、建造物の最上階などに設置したタワークレーンなどの揚重機により持ち上げて、建造物の昇降路２の最上部に架設するものとしている。なお、前記マシーンビーム９は、建造物の昇降路２の最上部に一本のみ架設したものとしても、二本または二本以上を平行に並べて架設したものとしてもよい。
【００３６】
次に、第二工程として、乗かご用ガイドレール３およびカウンターウエイト用ガイドレール４を建造物の最上階から吊り下げて、昇降路２の側壁に敷設する。
【００３７】
この工程は、乗かご用ガイドレール３およびカウンターウエイト用ガイドレール４をピアノ線などを基準として芯出して、これら乗かご用ガイドレール３およびカウンターウエイト用ガイドレール４の上下部を、固定金具１３などで昇降路２の側壁に固定する。この場合、乗かご用ガイドレール３およびカウンターウエイト用ガイドレール４は非常に軽量なものが用いられるので、簡単に敷設することができる。なお、乗かご用ガイドレール３の下端部には乗かご５の緩衝装置１５が、カウンターウエイト用ガイドレール４の下端部にはカウンターウエイト６の緩衝装置１６がそれぞれ設けられている。
【００３８】
第三工程として、前記昇降路２の下部において本設用かご枠１４を組み立てる。
【００３９】
この工程は、昇降路２の下部において、将来、正規に稼働するエレベータの乗かご５の枠組となる本設用かご枠１４を組み立てる。図中、１７は本設用かご枠１４の支柱である。
【００４０】
第四工程として、前記巻上手段８の主ロープ７の一端にカウンターウエイト６を吊り下げると共に、この主ロープ７の他端に前記本設用かご枠１４を吊り下げる。
【００４１】
この工程は、カウンターウエイト６を先に吊り下げてから、本設用かご枠１４を後で吊り下げるのが作業性が良いが、本設用かご枠１４を先に吊り下げてから、カウンターウエイト６を後で吊り下げてもよい。
【００４２】
第五工程として、前記本設用かご枠１４を巻上手段８によって上昇させながら、乗かご用ガイドレール３およびカウンターウエイト用ガイドレール４の中間部の複数箇所を昇降路２の側壁に固定する。
【００４３】
この工程は、乗かご用ガイドレール３およびカウンターウエイト用ガイドレール４を、昇降路２の側壁への固定を堅固にするものであり、作業者が本設用かご枠１４に乗車して、この本設用かご枠１４を巻上手段８によって上昇させながら、乗かご用ガイドレール３およびカウンターウエイト用ガイドレール４の中間部の複数箇所を、下方から上方にかけ順に、固定金具１３などで昇降路２の側壁に固定する。この場合、作業者が乗車する本設用かご枠１４は、正規に稼働するエレベータの乗かご５の枠組となるものであり、乗りかご５が過速状態になった場合に非常停止装置を作動させるためのガバナが設けられており、さらにこの乗かご用ガイドレール３の下端部には乗かご５の緩衝装置１５が設けられているため、本設用かご枠１４においてもこれらの装置が働き、安全性に優れたものとなっている。
【００４４】
なお、前記本設用かご枠１４は、以上の工程が終了してから、外装材や内装材などが装着され、正規に稼働するエレベータの乗りかご５とされる。
【００４５】
したがって、以上に述べたような工程を有するこの発明のエレベータ装置の据付工法は、据付作業の安全性が図られ、据付コストも高くならないものとなる。
【００４６】
次に、この発明のエレベータ装置の据付工法を高層の建造物に実施した例について説明する。
【００４７】
先ず、第一工程として、図７に示したように、巻上手段８を設置したマシーンビーム９を、建造物の任意階の昇降路２に仮架設する。
【００４８】
この工程は、前記したように二機の巻上機８ａ、８ｂからなる巻上手段８や、巻上機８ａとシーブ１０からなる巻上手段８を設置したマシーンビーム９を、建造物の最上階などに設置したタワークレーンなどの揚重機により持ち上げて、建造物の昇降路２の任意階の昇降路２に仮架設するものとしている。なお、前記マシーンビーム９は、建造物の昇降路２の最上部に一本のみ架設したものとしても、二本または二本以上を平行に並べて架設したものとしてもよい。
【００４９】
次に、第二工程として、乗かご用ガイドレール３およびカウンターウエイト用ガイドレール４を建造物の任意階から吊り下げて、昇降路２の側壁に敷設する。
【００５０】
この工程は、乗かご用ガイドレール３およびカウンターウエイト用ガイドレール４をピアノ線などを基準として芯出して、これら乗かご用ガイドレール３およびカウンターウエイト用ガイドレール４の上下部を、固定金具１３などで昇降路２の側壁に固定する。この場合、乗かご用ガイドレール３およびカウンターウエイト用ガイドレール４は非常に軽量なものが用いられるので、簡単に敷設することができる。なお、乗かご用ガイドレール３の下端部には乗かご５の緩衝装置１５が、カウンターウエイト用ガイドレール４の下端部にはカウンターウエイト６の緩衝装置１６がそれぞれ設けられている。
【００５１】
第三工程として、前記昇降路２の下部において本設用かご枠１４を組み立てる。
【００５２】
この工程は、昇降路２の下部において、将来、正規に稼働するエレベータの乗かご５の枠組となる本設用かご枠１４を組み立てる。図中、１７は本設用かご枠１４の支柱である。
【００５３】
第四工程として、前記巻上手段８の主ロープ７の一端にカウンターウエイト６を吊り下げると共に、この主ロープ７の他端に前記本設用かご枠１４を吊り下げる。
【００５４】
この工程は、カウンターウエイト６を先に吊り下げてから、本設用かご枠１４を後で吊り下げるのが作業性が良いが、本設用かご枠１４を先に吊り下げてから、カウンターウエイト６を後で吊り下げてもよい。
【００５５】
第五工程として、前記本設用かご枠１４を巻上手段８によって上昇させながら、乗かご用ガイドレール３およびカウンターウエイト用ガイドレール４の中間部の複数箇所を昇降路２の側壁に固定する。
【００５６】
この工程は、乗かご用ガイドレール３およびカウンターウエイト用ガイドレール４を、昇降路２の側壁への固定を堅固にするものであり、作業者が本設用かご枠１４に乗車して、この本設用かご枠１４を巻上手段８によって上昇させながら、乗かご用ガイドレール３およびカウンターウエイト用ガイドレール４の中間部の複数箇所を、下方から上方にかけ順に、固定金具１３などで昇降路２の側壁に固定する。この場合、作業者が乗車する本設用かご枠１４は、正規に稼働するエレベータの乗かご５の枠組となるものであり、乗りかご５が過速状態になった場合に非常停止装置を作動させるためのガバナが設けられており、さらにこの乗かご用ガイドレール３の下端部には乗かご５の緩衝装置１５が設けられているため、本設用かご枠１４においてもこれらの装置が働き、安全性に優れたものとなっている。
【００５７】
さらに、第六工程として、前記巻上手段８を設置したマシーンビーム９を、建造物のさらに上層の任意階の昇降路２に仮架設する。
【００５８】
この工程は、前記したのと同様に、巻上手段８を設置したマシーンビーム９を、建造物の最上階などに設置したタワークレーンなどの揚重機により持ち上げて、建造物のさらに上層の任意階の昇降路２に仮架設するものとしている。
【００５９】
第七工程として、乗かご用ガイドレール３およびカウンターウエイト用ガイドレール４を、前記建造物の任意階から吊り下げて、第二工程で敷設した乗かご用ガイドレール３およびカウンターウエイト用ガイドレール４にそれぞれ継ぎ足すと共に、昇降路２の側壁に敷設する。
【００６０】
この工程は、乗かご用ガイドレール３およびカウンターウエイト用ガイドレール４をピアノ線などを基準として芯出して、これら乗かご用ガイドレール３およびカウンターウエイト用ガイドレール４の下端をそれぞれ、第二工程で敷設した乗かご用ガイドレール３およびカウンターウエイト用ガイドレール４の上端に位置合わせをして継ぎ足し、これら乗かご用ガイドレール３およびカウンターウエイト用ガイドレール４の上下部を、固定金具１３などで昇降路２の側壁に固定する。この場合、作業者は本設用かご枠１４に乗車して作業するが、この本設用かご枠１４は正規に稼働するエレベータの乗かご５の枠組となるものであり、乗りかご５が過速状態になった場合に非常停止装置を作動させるためのガバナが設けられており、さらにこの乗かご用ガイドレール３の下端部には乗かご５の緩衝装置１５が設けられているため、本設用かご枠１４においてもこれらの装置が働き、安全性に優れたものとなっている。
【００６１】
第八工程として、前記本設用かご枠１４を巻上手段８によって上昇させながら、継ぎ足した乗かご用ガイドレール３およびカウンターウエイト用ガイドレール４の中間部の複数箇所を、下方から上方にかけ順に昇降路２の側壁に固定する。
【００６２】
この工程は、継ぎ足した乗かご用ガイドレール３およびカウンターウエイト用ガイドレール４を、昇降路２の側壁への固定を堅固にするものであり、作業者が本設用かご枠１４に乗車して、この本設用かご枠１４を巻上手段８によって上昇させながら、継ぎ足した乗かご用ガイドレール３およびカウンターウエイト用ガイドレール４の中間部の複数箇所を、下方から上方にかけ順に、固定金具１３などで昇降路２の側壁に固定する。この場合も、前記したのと同様、作業者が乗車する本設用かご枠１４は、正規に稼働するエレベータの乗かご５の枠組となるものであり、乗りかご５が過速状態になった場合に非常停止装置を作動させるためのガバナが設けられており、さらにこの乗かご用ガイドレール３の下端部には乗かご５の緩衝装置１５が設けられているため、本設用かご枠１４においてもこれらの装置が働き、安全性に優れたものとなっている。
【００６３】
そして、前記巻上手段８を設置したマシーンビーム９を建造物の最上部の昇降路２に架設できるまで、前記第六工程〜第八工程までの同様の工程を繰り返していく。
【００６４】
なお、前記本設用かご枠１４は、以上の工程が終了してから、外装材や内装材などが装着され、正規に稼働するエレベータの乗りかご５とされる。
【００６５】
したがって、以上に述べたような工程を有するこの発明のエレベータ装置の据付工法は、据付作業の安全性が図られ、据付コストも高くならないものとなる。
【００６６】
さらに、この発明のエレベータ装置の据付工法を、建造物の建造中において、大型の作業機器などを搬送する場合に実施する例について説明する。
【００６７】
先ず、第一工程として、図８に示したように、巻上手段８を設置したマシーンビーム９を、建造物の連通したままの二列以上隣り合う任意階の昇降路２にそれぞれ仮架設するか、またはこれら昇降路２の最上部にそれぞれ架設する。
【００６８】
この工程は、前記したように二機の巻上機８ａ、８ｂからなる巻上手段８や、巻上機８ａとシーブ１０からなる巻上手段８を設置したマシーンビーム９を、建造物の最上階などに設置したタワークレーンなどの揚重機により持ち上げて、建造物の昇降路２の連通したままの二列以上隣り合う任意階の昇降路２にそれぞれ仮架設するものとするか、またはこれら昇降路２の最上部に架設するものとしている。なお、前記それぞれのマシーンビーム９は、建造物の任意階の昇降路２または昇降路２の最上部に一本のみ仮架設または架設したものとしても、二本または二本以上を平行に並べて仮架設または架設したものとしてもよい。
【００６９】
次に、第二工程として、乗かご用ガイドレール３およびカウンターウエイト用ガイドレール４を建造物の任意階または最上階から吊り下げて、前記二列以上隣り合うそれぞれの昇降路２の側壁に敷設する。
【００７０】
この工程は、乗かご用ガイドレール３およびカウンターウエイト用ガイドレール４をピアノ線などを基準として芯出して、これら乗かご用ガイドレール３およびカウンターウエイト用ガイドレール４の上下部を、固定金具１３などで昇降路２の側壁に固定する。この場合、乗かご用ガイドレール３およびカウンターウエイト用ガイドレール４は非常に軽量なものが用いられるので、簡単に敷設することができる。なお、乗かご用ガイドレール３の下端部には乗かご５の緩衝装置１５が、カウンターウエイト用ガイドレール４の下端部にはカウンターウエイト６の緩衝装置１６がそれぞれ設けられている。
【００７１】
第三工程として、前記昇降路２の下部において前記二列以上の隣り合う昇降路２の床面積に応じて広げた底面積を有するかご枠１７を組み立てる。
【００７２】
この工程は、昇降路２の下部において、将来、正規に稼働するエレベータの乗かご５と取り替えられるかご枠１７を組み立てる。このかご枠１７は、前記二列以上の隣り合う昇降路２の床面積に応じて広げた底面積を有するため、建造物の建造中において、大型の作業機器などを搬送する場合に使用することができる。
【００７３】
第四工程として、前記巻上手段８の主ロープ７の一端にカウンターウエイト６を吊り下げると共に、この主ロープ７の他端に前記かご枠１７を吊り下げる。
【００７４】
この工程は、カウンターウエイト６を先に吊り下げてから、かご枠１７を後で吊り下げるのが作業性が良いが、かご枠１７を先に吊り下げてから、カウンターウエイト６を後で吊り下げてもよい。
【００７５】
第五工程として、前記かご枠１７を巻上手段８によって上昇させながら、乗かご用ガイドレール３およびカウンターウエイト用ガイドレール４の中間部の複数箇所を昇降路２の側壁に固定する。
【００７６】
この工程は、乗かご用ガイドレール３およびカウンターウエイト用ガイドレール４を、昇降路２の側壁への固定を堅固にするものであり、作業者がかご枠１７に乗車して、このかご枠１７を巻上手段８によって上昇させながら、乗かご用ガイドレール３およびカウンターウエイト用ガイドレール４の中間部の複数箇所を、下方から上方にかけ順に、固定金具１３などで昇降路２の側壁に固定する。この場合、作業者が乗車するかご枠１７は、正規に稼働するエレベータの乗かご５が過速状態になった場合に非常停止装置を作動させるためのガバナが設けられており、さらにこの乗かご用ガイドレール３の下端部には乗かご５の緩衝装置１５が設けられているため、かご枠１７においてもこれらの装置が働き、安全性に優れたものとなっている。
【００７７】
さらに、第六工程として、前記巻上手段８を設置したマシーンビーム９を、建造物のさらに上層の任意階の昇降路２に仮架設する。
【００７８】
この工程は、前記したのと同様に、巻上手段８を設置したマシーンビーム９を、建造物の最上階などに設置したタワークレーンなどの揚重機により持ち上げて、建造物のさらに上層の任意階の昇降路２に仮架設するものとしている。
【００７９】
第七工程として、乗かご用ガイドレール３およびカウンターウエイト用ガイドレール４を、前記建造物の任意階から吊り下げて、第二工程で敷設した乗かご用ガイドレール３およびカウンターウエイト用ガイドレール４にそれぞれ継ぎ足すと共に、昇降路２の側壁に敷設する。
【００８０】
この工程は、乗かご用ガイドレール３およびカウンターウエイト用ガイドレール４をピアノ線などを基準として芯出して、これら乗かご用ガイドレール３およびカウンターウエイト用ガイドレール４の下端をそれぞれ、第二工程で敷設した乗かご用ガイドレール３およびカウンターウエイト用ガイドレール４の上端に位置合わせをして継ぎ足し、これら乗かご用ガイドレール３およびカウンターウエイト用ガイドレール４の上下部を、固定金具１３などで昇降路２の側壁に固定する。この場合、作業者はかご枠１７に乗車して作業するが、このかご枠１７は正規に稼働するエレベータの乗かご５の枠組となるものであり、乗りかご５が過速状態になった場合に非常停止装置を作動させるためのガバナが設けられており、さらにこの乗かご用ガイドレール３の下端部には乗かご５の緩衝装置１５が設けられているため、かご枠１７においてもこれらの装置が働き、安全性に優れたものとなっている。
【００８１】
第八工程として、前記かご枠１７を巻上手段８によって上昇させながら、継ぎ足した乗かご用ガイドレール３およびカウンターウエイト用ガイドレール４の中間部の複数箇所を昇降路２の側壁に固定する。
【００８２】
この工程は、継ぎ足した乗かご用ガイドレール３およびカウンターウエイト用ガイドレール４を、昇降路２の側壁への固定を堅固にするものであり、作業者がかご枠１４に乗車して、この本設用かご枠１４を巻上手段８によって上昇させながら、継ぎ足した乗かご用ガイドレール３およびカウンターウエイト用ガイドレール４の中間部の複数箇所を、下方から上方にかけ順に、固定金具１３などで昇降路２の側壁に固定する。この場合も、前記したのと同様、作業者が乗車するかご枠１７は正規に稼働するエレベータの乗かご５が過速状態になった場合に非常停止装置を作動させるためのガバナが設けられており、さらにこの乗かご用ガイドレール３の下端部には乗かご５の緩衝装置１５が設けられているため、かご枠１７においてもこれらの装置が働き、安全性に優れたものとなっている。
【００８３】
そして、前記巻上手段８を設置したマシーンビーム９を建造物の最上部の昇降路２に架設できるまで、前記第六工程〜第八工程までの同様の工程を繰り返していく。なお、第一工程において、前記巻上手段８を設置したマシーンビーム９を、昇降路２の最上部に架設した場合には、前記第六工程〜第八工程までの同様の工程を繰り返す必要はない。
【００８４】
さらに、次の工程として、前記かご枠１７を巻上手段８によって上昇させながら、前記二列以上隣り合う昇降路２の互いの境界にそれぞれ昇降路２の側壁となる隔離壁１８を、昇降路２の下方から上方にかけ順に敷設していく。
【００８５】
この工程は、前記二列以上隣り合う昇降路２の互いの境界にそれぞれ昇降路２の側壁となる隔離壁１８を敷設していく場合に、作業者がかご枠１７に乗車して、このかご枠１７を巻上手段８によって上昇させながら、前記二列以上隣り合う昇降路２の境界にそれぞれ昇降路２の側壁となる隔離壁１８を、昇降路２の下方から上方にかけ順に敷設していく。
そして、最終工程として、前記かご枠１７をエレベータの乗かご５に取り替える。
【００８６】
この工程は、建造物の建造中において、大型の作業機器などを搬送する場合に使用したかご枠１７を前記巻上手段８の主ロープ７から取り外し、建造物のそれぞれの昇降路２において、それぞれの巻上手段８の主ロープ７の一端に、将来、正規に稼働するエレベータの乗かご５を吊り下げる。この場合、前記巻上手段８の主ロープ７の他端には、それぞれカウンターウエイト６を吊り下げられたままにしている。
【００８７】
したがって、以上に述べたような工程を有するこの発明のエレベータ装置の据付工法は、建造物の建造中において、大型の作業機器などを搬送する場合にも使用することができると共に、据付作業の安全性が図られ、据付コストも高くならないものとなる。
【図面の簡単な説明】
【００８８】
【図１】この発明のエレベータ装置の一実施形態を一部省略して示す側断面図である。
【図２】図１中のＡ−Ａ線による断面図である。
【図３】この発明のエレベータ装置の他の実施形態を一部省略して示す側断面図である。
【図４】図３中のＢ−Ｂ線による断面図である。
【図５】この発明のエレベータ装置のさらに他の実施形態を一部省略して示す側断面図である。
【図６】この発明のエレベータ装置の据付工法の一実施形態を示す側断面説明図である。
【図７】この発明のエレベータ装置の据付工法の他の実施形態を示す側断面説明図である。
【図８】この発明のエレベータ装置の据付工法のさらに他の実施形態を示す正面断面説明図である。
【図９】図８中のＣ−Ｃ線による断面図である。
【図１０】図８に示す据付工法で据え付けられたエレベータ装置の水平断面説明図である。
【図１１】従来のエレベータ装置の水平断面図である。
【図１２】従来のエレベータ装置の要部詳細図である。
【符号の説明】
【００８９】
２  昇降路
３  乗かご用ガイドレール
４  カウンターウエイト用ガイドレール
５  乗かご
６  カウンターウエイト
７  主ロープ
８  巻上手段
８ａ  巻上機
８ｂ  巻上機
９  マシーンビーム
１０  シーブ
１４  本設用かご枠
１７  かご枠
１８  隔離壁
【図１】
2005231780.tif 000003
【図２】
2005231780.tif 000004
【図３】
2005231780.tif 000005
【図４】
2005231780.tif 000006
【図５】
2005231780.tif 000007
【図６】
2005231780.tif 000008
【図７】
2005231780.tif 000009
【図８】
2005231780.tif 000010
【図９】
2005231780.tif 000011
【図１０】
2005231780.tif 000012
【図１１】
2005231780.tif 000013
【図１２】
2005231780.tif 000014